(57)【要約】【課題】狭い接続空間であっても簡単にコネクター接続を可能とし、外力によりコネクター接続が抜け外れる虞の無いコネクター接続装置を提供する。【解決手段】実施形態のコネクター接続装置は、高さ方向に高さを有する電子筐体と、前記筺体の底面基板に設けられた第１コネクターと接続するために、その長手方向の端部に第２コネクターが取り付けられるフレーム部品部と、前記第２コネクターを前記長手方向の端部に取り外し可能に固定するコネクター固定板バネ部品部と、前記フレーム部品部の幅広側の側面に設けられ、前記第２コネクターに接続されるコネクターケーブルを保持する複数のケーブル保持部材と、を備えたことを特徴とする。【選択図】図２
2014197491.tif 000002
【特許請求の範囲】
【請求項１】
筐体ケースに取り付けられ、第１コネクターを有する電子デバイスと、
ケーブルの先端に前記電子デバイスの前記第１コネクターと接続する第２コネクターを有する接続コネクターケーブルと、
一端の固定部が前記接続コネクターケーブルの前記ケーブルに固定され、他端のバネ構造のアダプター部が前記筐体ケースに接触して前記第１コネクターと第２コネクターの接続を保持するコネクターケーブル保持部材と、
を備えたことを特徴とするケーブルコネクター保持機構。
【請求項２】
前記コネクターケーブル保持部材の前記アダプター部が外側に広がる形状又は内側に狭める形状の２端部を有し、前記２端部が前記筐体ケースの前記電子デバイスの取り付け面とは異なる面に接触してバネ特性を発揮することを特徴とする請求項１に記載のケーブルコネクター保持機構。
【請求項３】
前記固定部を前記第２コネクターに近接する箇所の前記ケーブルに固定し、その固定位置を調整することで、前記第２コネクターと前記アダプター部の間の距離を調整することを特徴とする請求項１又は２に記載のケーブルコネクター保持機構。
【請求項４】
前記コネクターケーブル保持部材が弾性の大きい材料で成形されていることを特徴とする請求項１又は請求項２に記載のケーブルコネクター保持機構。
【請求項５】
筐体ケースに取り付けられた電子デバイスの第１コネクターと接続する第２コネクターがケーブルの先端に有する接続コネクターケーブルに取り付けられるケーブルコネクター保持部材であって、
一端に前記接続コネクターケーブルの前記ケーブルに固定される固定部と、
他端に前記筐体ケースに接触して前記第１コネクターと第２コネクターの接続を保持するバネ構造のアダプター部と、
を備えたことを特徴とするケーブルコネクター保持部材。
【請求項６】
前記アダプター部が外側に広がる形状又は内側に狭める形状の２端部を有し、前記２端部が前記筐体ケースの前記電子デバイスの取り付け面とは異なる面に接触してバネ特性を発揮することを特徴とする請求項５に記載のケーブルコネクター保持部材。
【請求項７】
前記固定部を前記第２コネクターに近接する箇所の前記ケーブルに固定し、その固定位置を調整することで、前記第２コネクターと前記アダプター部の間の距離を調整することを特徴とする請求項５又は６に記載のケーブルコネクター保持機構。
【請求項８】
前記アダプター部が弾性の大きい材料で成形されていることを特徴とする請求項５又は請求項６に記載のケーブルコネクター保持部材。
【発明の詳細な説明】
【技術分野】
【０００１】
本発明の実施形態は、電子デバイス装置のコネクター接続部を保持するコネクター保持機構およびケーブルコネクター保持部材に関する。
【背景技術】
【０００２】
電子機器内には、各種の電子デバイス装置が内部に組み込まれている。例えば、パーソナルコンピュータには、磁気ディスク装置（ＨＤＤ）、コンパクトディスクやＤＶＤの駆動装置、および電源装置などの電子デバイス装置が組み込まれている。磁気ディスク装置、およびコンパクトディスクやＤＶＤの駆動装置には、本体装置との間で信号のやりとりを行うための入出力インターフェイス部を有し、そのインターフェイス部はコネクターケーブルで接続されている。また、電源装置は、コネクターケーブル接続によって、装置内の各所に電源を供給している。
【０００３】
例えば、磁気ディスク装置、およびコンパクトディスクやＤＶＤの駆動装置は、回転駆動モータを内蔵していることから、使用中には僅かながら振動が発生している。このため、ある程度長い期間で使用していると、信号ケーブルを接続したコネクター接続部が振動などによって外れる虞がある。また、モータの振動以外にも、携帯電子機器などでは、移動中にどこかにぶつけたりすることがある。その時の強い衝撃や衝撃の角度によっては、信号ケーブルを接続したコネクター接続部が外れる虞がある。
【先行技術文献】
【特許文献】
【０００４】
【特許文献１】特許第３４１１８９２号公報
【発明の概要】
【発明が解決しようとする課題】
【０００５】
従来の一般的なコネクター接続機構では、挿入側のコネクターの両側に固定用ネジを設け、その固定用ネジを電子デバイス装置のコネクター部にネジ止めすることで、信号ケーブルのコネクターを強固に固定するものであった。しかしながら、従来の構造では、ネジ部を有する分、コストが掛かるし、コネクターの形状を大きくする欠点があった。また、ネジ止めは作業効率が悪い欠点があった。
本発明が解決しようとする課題は、簡単な構成でコネクター接続を保つことのできるコネクター保持機構およびケーブルコネクター保持部材を提供することを目的とする。
【課題を解決するための手段】
【０００６】
本実施形態に係るケーブルコネクター保持機構は、筐体ケースに取り付けられ、第１コネクターを有する電子デバイスと、ケーブルの先端に前記電子デバイスの前記第１コネクターと接続する第２コネクターを有する接続コネクターケーブルと、一端の固定部が前記接続コネクターケーブルの前記ケーブルに固定され、他端のバネ構造のアダプター部が前記筐体ケースに接触して前記第１コネクターと第２コネクターの接続を保持するコネクターケーブル保持部材と、を備えたことを特徴とする。
【０００７】
また、実施形態に係るケーブルコネクター保持部材は、筐体ケースに取り付けられた電子デバイスの第１コネクターと接続する第２コネクターがケーブルの先端に有する接続コネクターケーブルに取り付けられるケーブルコネクター保持部材であって、一端に前記接続コネクターケーブルの前記ケーブルに固定される固定部と、他端に前記筐体ケースに接触して前記第１コネクターと第２コネクターの接続を保持するバネ構造のアダプター部と、を備えたことを特徴とする。
【発明の効果】
【０００８】
本発明の実施形態によれば、電子デバイス装置などのコネクター接続部に対し、簡単な構成でコネクター接続を保つことができる。
【図面の簡単な説明】
【０００９】
【図１】実施形態に係るケーブルコネクター保持機構の角度の異なる斜視図（ａ），（ｂ）である。
【図２】実施形態に係るケーブルコネクター保持機構の上面図（ａ）、長手方向の側面図（ｂ）、短手方向の側面図（ｃ）である。
【図３】実施形態に係るケーブルコネクター保持部材のコネクター固定の工程を示す斜視図（ａ）乃至（ｄ）である。
【図４】実施形態に係るケーブルコネクター保持部材の上面図（ａ）、長手方向の側面図（ｂ）、短手方向の側面図（ｃ）である。
【図５】実施形態に係るケーブルコネクター保持部材の他の形状を示す図である。
【発明を実施するための形態】
【００１０】
以下、図面を参照して本発明の実施形態について説明する。
図１及び図２は、実施形態に係るケーブルコネクター保持機構の組立完成後の構成を示す図である。図１（ａ）（ｂ）は、２つの異なる角度から見た斜視図である。図２は、ケーブルコネクター保持機構の上面図（ａ）、長手方向の側面図（ｂ）、短手方向の側面図（ｃ）をそれぞれ示している。ここでは、２．５型ＨＤＤのＳＡＴＡコネクターケーブルを例に、そのコネクター保持機構について説明する。
【００１１】
２．５型ＨＤＤ（以下単に、ＨＤＤと称する）１００は、図中、左右に少し長い長方体の形状を有している。このＨＤＤ１００は、同じ形状の収納ケース２００に収納されている。収納ケース２００は、その四隅に設けられる取付ネジ２０ａ，２０ｂ，２０ｃ，２０ｄによって、例えばパソコンなどの電子機器の筐体ケース３００の底面４００に固定されている。
【００１２】
ＨＤＤ１００の外部との入出力インターフェイス部は、図示しない受け側コネクターが設けられている。その受け側コネクターには、挿入側コネクター５００を有する接続コネクターケーブル５５０が接続されている。そして、この接続コネクターケーブル５５０には、受け側コネクターと挿入側コネクター５００との接続を保持するために、コネクターケーブル保持部材６００が取り付けられる。
【００１３】
このコネクターケーブル保持部材６００は、接続コネクターケーブル５５０の先端部に取り付けられるコネクター５００に近接するケーブル５５０ａを挟むことで固定する固定部６３０と、その反対側の他端に、筐体ケース３００に接触してコネクター接続を保持するバネ構造のアダプター部６６０とを備えている。このコネクターケーブル保持部材６００は、ナイロンなどの弾性力の大きい材料で成形されている。
【００１４】
ここでは、コネクターケーブル保持部材６００のアダプター部６６０の形状がＹ字形状となっている。このＹ字形状の２つの先端部６６０ａ，６６０ｂは、筐体ケース３００の電子デバイスの取り付け底面４００とは異なる垂直面４３０に接触してバネ特性を発揮する。垂直面４３０の前記先端部６６０ａ，６６０ｂが当たる箇所の上下には、Ｙ字形先端部の幅間隔を有して突起４５０ａ，４５０ｂが設けられており、垂直面４３０に接触する先端部６６０ａ，６６０ｂが上下に移動しないように囲いが形成されている。固定後の接続コネクターケーブル５５０は、例えば９０度右側（図１では上側）に捻られて配線されている。
【００１５】
次に、コネクターケーブル保持部材６００の固定部６３０の固定構造について説明する。図３（ａ）（ｂ）又は（ｃ）（ｄ）は、その固定工程を示す図である。図３（ａ）と（ｂ）は同じ角度からの固定構造を示し、（ｃ）と（ｄ）は（ａ）と（ｂ）と違う角度からの固定構造を示している。
【００１６】
まず、図３（ａ）又は（ｃ）に示すように、接続コネクターケーブル５５０の先端部に取り付けられるコネクター５００に近接する位置のケーブル５５０ａの下側にコネクターケーブル保持部材６００を挿入し、その固定部６３０によってケーブル５５０ａを挟持する。
【００１７】
コネクターケーブル保持部材６００の固定部６３０は、ケーブル５５０ａをしっかりと挟持する幅を有する長方形のブロック形状となっている。そして、図４（ｃ）に示すように、開閉自在な構造をなし、回動片６３０ａの回動先端部６３０ａ１が受け側の係合突起６３０ｂと係合することにより、図４（ｂ）（ｄ）に示すように固定部６３０をケーブル５５０ａに固定することができる。
【００１８】
このケーブル固定位置を調整することにより、コネクター５００とアダプター部６６０の先端部６６０ａ，６６０ｂの距離を任意に調整することができる。ただし、接続コネクターケーブル５５０の硬さにもよるが、ケーブル固定位置は取付箇所のケーブル５５０ａが撓む虞のない距離であることが必要である。もしも、電子デバイス装置の取付位置と筐体垂直面４３０との間が長い場合は、その距離に応じて固定部６３０とアダプター部６６０の距離が長いコネクターケーブル保持部材６００が用いられることになる。なお、ここでは回動片６３０ａの先端部６３０ａ１と受け側の係合突起６３０ｂとの係合固定としたが、引っ掛け固定など他の固定方法であってもよい。
【００１９】
一方、コネクターケーブル保持部材６００のＹ字形状の２つの先端部６６０ａ，６６０ｂは細くなっているので、図４（ａ）に示すように、バネ（弾性）特性を有する形状である。コネクターケーブル保持部材６００のＹ字形状の２つの先端部６６０ａ，６６０ｂが、筐体ケース３００の垂直面４３０の突起４５０ａ，４５０ｂの隙間に接触することから、固定部６３０を介して接続コネクターケーブル５５０のコネクター５００が、ＨＤＤ１００側に押し付けられる力を受けることになる。したがって、ＨＤＤ１００の受け側コネクターと接続コネクターケーブル５５０の挿入側コネクター５００には、コネクター接続の保持力が常に加わった状態になる。よって、電子デバイス装置などのコネクター接続部に対し、簡単な構成でコネクター接続を保つことができる。
【００２０】
以上、実施形態のケーブルコネクター保持機構によれば、筐体ケースに取り付けられ、コネクターを有する電子デバイスと、ケーブルの先端に電子デバイスのコネクターと接続するコネクターを有する接続コネクターケーブルと、一端の固定部が接続コネクターケーブルのケーブルに固定され、他端のバネ構造のアダプター部が筐体ケースに接触してコネクターの接続を保持するコネクターケーブル保持部材と、を備えた構成であるので、簡単な形状にてコネクター接続を保持することができる。
【００２１】
なお、本発明は上術した実施形態及びその変形例に限定されるものではなく、発明の要旨を逸脱しない範囲内で、従来周知の技術を用いて様々な形態に変形して実施することができる。また、それらも特許請求項の範囲に記載された発明とその均等の範囲に含まれるものである。
【００２２】
例えば、実施形態では、２．５型ＨＤＤのコネクター接続を例に説明したが、これに限定されず、他のＨＤＤ装置やＤＶＤ装置、或いは電源装置にも適用できる。
【００２３】
また、実施形態では、コネクターケーブル保持部材のアダプター部をＹ字形状としたが、これに限定されず、例えば図５（ａ）乃至（ｃ）に示す形状であってもよい。図５（ａ）（ｂ）場合は、アダプター部６６０が外側に広がる形状によってバネ（弾性）特性を発揮する形状とした。一方、図５（ｃ）では、内側に狭める形状によってバネ（弾性）特性を発揮する形状とした。
【符号の説明】
【００２４】
１００…ＨＤＤ、１２０…収納ケース、２０ａ乃至２０ｄ…取付ネジ、３００…筐体ケース、４００…底面、４３０…垂直面、５００…挿入側コネクター、５５０…接続コネクターケーブル、６００…コネクターケーブル保持部材、６３０…固定部、６３０ａ…可動片、６３０ａ１…回動先端部、６３０ｂ…係合突起、６６０…アダプター部、６６０ａ，６６０ｂ…Ｙ字先端部
【図１】
2014197491.tif 000003
【図２】
2014197491.tif 000004
【図３】
2014197491.tif 000005
【図４】
2014197491.tif 000006
【図５】
2014197491.tif 000007